(57)【要約】【課題】光反射ベストを装着したときのフィット感をよくするとともに、前後の屈身運動や左右の回転運動性をよくし、安全性を損なうことなく、長時間の立ち仕事でも、腰痛の発生を可及的に防止する光反射ベストを提供できるようにする。【解決手段】胴体固定部と、当該胴体固定部に端部が連結された左右一対の肩掛け部とを備えてなり、胴体固定部は、帯状に形成され、端部若しくはその近傍に配設された連結装着具で開閉可能な内方装着帯部分と内方装着帯部分に１部が連結された外方装着帯とからなり、前記肩掛け部と胴体固定部の外方装着帯の外面となる部分に光反射面を形成した。【選択図】図２
2010126820.tif 000002
【特許請求の範囲】
【請求項１】
胴体固定部と、当該胴体固定部に端部が連結された左右一対の肩掛け部とを備えてなり、胴体固定部は、帯状に形成され、端部若しくはその近傍に配設された連結装着具で開閉可能な内方装着帯部分と内方装着帯部分に１部が連結された外方装着帯部分とからなり、前記肩掛け部と胴体固定部の外方装着帯部分の外面となる部分に光反射面を形成したことを特徴とする光反射ベスト。
【請求項２】
胴体固定部の内方装着帯部分の少なくとも１部が伸縮性部材で形成されていることを特徴とする請求項１に記載の光反射ベスト。
【請求項３】
胴体固定部の内方装着帯部分の少なくとも１部に温熱材を収納するポケットを形成したことを特徴とする請求項１または請求項２に記載の光反射ベスト。
【発明の詳細な説明】
【技術分野】
【０００１】
本発明は、光を反射してその存在を視認させる光反射ベストに関するものである。
【背景技術】
【０００２】
道路での交通整理や工事もしくは清掃等をする者、または、交通事故の処理もしくは交通違反の取り締まり等を行う警察官などが、自己の存在を通行者または運転者などに遠くからでも存在を視認させるために、光を反射させる光反射ベストを着用している。
光反射ベストとして例えば、特許文献１に示すものが提案されている。
【０００３】
この先の提案にかかる光反射ベストは係止手段により環状にされ胴体に取り付けられる胴体固定ベルトと、両肩に掛けられるように両端が胴体固定ベルトに固定された肩掛けベルトとからなり、各ベルトの表面に反射素材を配置し、前記胴体固定ベルトは帯状弾性部材を備えるとともに、前記肩掛けベルトは肩掛け部分に帯状弾性部材を備えるようにしたものである。
【０００４】
ところが、こうした光反射ベルトは、胴体に胴体固定ベルトをしっかりと固定すると肩掛けベルトが肩部分を固定してしまうので前後の屈身運動や左右の回転運動がしにくくなり、敏捷な動きが難しくなるうえ、肩こりの原因にもなるという問題があった。
さらに、先の提案にかかる反射ベルトでは、胴体固定ベルトの両側部分に帯状ゴム材を設けるようにしてあることから、当該帯状ゴム材部分には伸縮性のない反射テープ部分を設けることができず、反射面積が少ないために安全性にも問題がある。
【特許文献１】特開平１１−３２７４７５号公報
【発明の開示】
【発明が解決しようとする課題】
【０００５】
本発明は上記問題点に鑑み提案されたもので、光反射ベストを装着したときのフィット感をよくするとともに、前後の屈身運動や左右の回転運動性をよくし、安全性を損なうことなく、長時間の立ち仕事でも、腰痛の発生を可及的に防止する光反射ベストを提供できるようにすることを目的とするものである。
【課題を解決するための手段】
【０００６】
上記目的を達成するために本発明にかかる光反射ベストは、胴体固定部と、当該胴体固定部に端部が連結された左右一対の肩掛け部とを備えてなり、胴体固定部は、帯状に形成され、端部若しくはその近傍に配設された連結装着具で開閉可能な内方装着帯部分と、内方装着帯部分に１部が連結された外方装着帯部分とからなり、前記肩掛け部と胴体固定部の外方装着帯部分の外面となる部分に光反射面を形成したことを特徴とするものである。
【０００７】
本発明にかかる光反射ベストは、胴体固定部の内方装着帯の少なくとも１部が伸縮性部材で形成されていることや、胴体固定部の内方装着帯部分の少なくとも１部に温熱材を収納するポケットを形成したことも特徴とするものである。
【発明の効果】
【０００８】
本発明にかかる光反射ベストによれば、胴体固定部と、当該胴体固定部に端部が連結された左右一対の肩掛け部とを備えてなり、胴体固定部は、帯状に形成され、端部若しくはその近傍に配設された連結装着具で開閉可能な内方装着帯部分と、内方装着帯部分に１部が連結された外方装着帯部分とからなり、前記肩掛け部と胴体固定部の外方装着帯部分の外面となる部分に光反射面を形成してあるので、装着者の胴部には内方装着帯部分をしっかりと固定することにより、光反射ベストを装着したときのフィット感をよくするとともに、外方装着帯部分および肩掛け部を、余裕を持ってゆったりと装着することができる。
【０００９】
これにより、前後の屈身運動や左右の回転運動性をよくして安全性を確保しながらも、従来のような緊縛状態に装着することから発生する肩こり等を可及的に防止することができる利点がある。
また、胴体固定部の内方装着帯部分の少なくとも１部が伸縮性部材で形成するようにしたものでは、上記効果に加えて、内方装着帯部分が腹巻やコルセットの作用をし、長時間の立ち仕事でも、腰痛の発生を可及的に防止することができる。
さらに、胴体固定部の内方装着帯部分の少なくとも１部に温熱材を収納するポケットを形成したものでは、上記の長時間の立ち仕事、冬季の夜間の作業での腰痛の発生を可及的に防止することができる効果を一層向上させることができる利点がある。
【発明を実施するための最良の形態】
【００１０】
以下、本発明にかかる光反射ベストの最も好ましい実施の形態を図面に基づいて説明する。
図１は発明の光反射ベルトの全体斜視図であって、図中符号１は光反射ベストを全体的に示す。この光反射ベスト１は、胴体固定部２と、当該胴体固定部２に端部が連結された左右一対の肩掛け部３とを備えてなる。
上記肩掛け部３は後述する胴体固定部２の背部から左右一対の後方肩ベルト４を立ち上げ、長さ調節具５を介して連結された前方肩ベルト６の端部が胴体固定部２の前部に連結されている。
【００１１】
この長さ調節具５は後方肩ベルト４の途中を折り返した端部を止める留め具７と、折り返し部分８を前方肩ベルト６に連結する環状の連結具９とからなる。
上記前後の肩ベルト４・６は、伸縮性を有する編地で補強された弾性シート１５を帯状にし、その表面となる面にマイクロプリズム（図示せず）からなる黄色の反射シート１０を添着し、その両側縁部分に端部処理用布地１１を巻き込んだ状態で縫着したものである。
そして、肩掛け部３の左右の後方肩ベルト４はその背中部分で、前記肩ベルト４・６と同様に構成された連結ベルト１２で連結されることにより後述するように肩掛け部３が肩２１から外れるのを防止するようになっている。
【００１２】
上記胴体固定部２は、図１および図２に示すように、内方装着帯部分１３と、この内方装着帯部分１３の外方に位置し、その１部が内方装着帯部分１３に連結された外方装着帯部分１４とからなる。
前記外方装着帯部分１４は、上記肩掛け部３の各肩ベルト４・６とほぼ同様に、伸縮性を有する編地で補強された弾性シート１５を帯状にし、その表面となる面にマイクロプリズム（図示せず）からなる黄色の反射シート１０を上下に二本添着し、弾性シート１５の両側縁部分に端部処理用布地１１を巻き込んだ状態で縫着された幅広の帯で形成されており、装着時に対面する端部の開口部分にはフック形の掛合部１６とこれに掛合する被掛合部１７からなる一対の面ファスナ１８が設けられている。
【００１３】
また、内方装着帯部分１３は、図２に示すように、上記一対の肩掛け部３が縫着された側方部分の外方装着帯部分１４に一端部が縫着された弾性部材１９と、この弾性部材１９の他端部に取り付けた装着用帯部２０とからなる。
上記弾性部材１９は、図３に示すように、扁平な細幅のゴムベルト２１を等間隔に複数本並べ他状態にし、その間を編糸（図示せず）で連結することにより、シート状の素材を形成し、このシート状の素材をその中間部分でクロスさせた状態で装着用帯部２０に連結してある。
装着用帯部２０は、伸縮性を有する編地で補強された弾性シート１５を帯状にし、図３に示すように装着時に内側となる方の表面部分に面ファスナ１８の一方、例えばフック形の掛合部１６に掛合する被掛合部１７を上下２段に取り付け、これに対面する外側となる方の内面側に面ファスナ１８の他方フック形の掛合部１６を上下２段に取り付けて構成したものである。
【００１４】
上記のように構成された本発明にかかる光反射ベスト１を装着する手順を次に説明する。
先ず、光反射ベスト１の肩掛け部３に腕を通し、各肩掛け部３を肩２１に位置させるとともに、胴体固定部２が所定の高さ位置、例えば腰２２の位置となるように、後方肩掛けベルト４の長さを調節する。
肩２１に位置させた左右の肩掛けベルト４・６は、左右の後方肩ベルト４間にわたって設けられた連結ベルト１２で連結されていることから、当該肩掛け部３が肩２１から外れるのを防止される。
次に、図４に示すように内方装着帯部分１３の装着用帯部２０の面ファスナ１８を掛合させて内方装着帯部分１３をしっかりと腰２２の所定位置に固定する。
【００１５】
すると、この内方装着帯部分１３の装着用帯部２０および弾性部材１９の弾性力とあいまって腹巻やコルセットのように作用し、腰２２の矯正や腰痛の発生を防止する。
このとき、図示は省略したが、内方装着帯部分１３にポケットを形成し、このポケットにカイロ等の温熱材を入れるようにすると、腰２２の矯正や腰痛の発生を防止する効果をよりいっそう高めることができる。
【００１６】
然る後、胴体固定部２の外方装着帯部分１４の開口部分に設けられた一対の面ファスナ１８を掛合させると、図５に示すように光反射ベスト１の装着が完了する。
斯くして装着された光反射ベスト１は、内方装着帯部分１３で固定されていることから、外方装着帯部分１４はゆったりと余裕を持たせた状態で装着できるので、緊締することによる肩こりの発生や行動の抑制等が軽減される。
【００１７】
尚、上記実施の形態では、胴体固定部２を装着するのに面ファスナ１８を使用するようにしてあるが、こうしたものに限られず、例えばホックや紐で止めつけるようにすることができるのはもちろんのことである。
また、内方装着帯部分１３の弾性部材１９は、本例のように扁平な細幅のゴムベルトを等間隔に複数本並べ他状態にし、その間を編糸で連結することにより、シート状の素材を形成したものに限られず、例えば幅広のゴムベルトにすることもできるし、装着用帯部２０が弾性力を有する場合にはこれを弾性部材１９にすることができる。
【図面の簡単な説明】
【００１８】
【図１】は本発明の光反射ベルトの全体斜視図である。
【図２】は本発明の光反射ベルトの外方装着帯部分を開口させた状態の斜視図である。
【図３】は本発明の光反射ベルトの外方装着帯部分および内方装着帯部分を開口させた状態の斜視図である。
【図４】は本発明の光反射ベルトを装着する手順を示す斜視図である。
【図５】は本発明の光反射ベルトを装着した状態の斜視図である。
【符号の説明】
【００１９】
１・・・光反射ベスト
２・・・胴体固定部
３・・・肩掛け部
１０・・・反射シート
１３・・・内方装着帯部分
１４・・・外方装着帯部分
【図１】
2010126820.tif 000003
【図２】
2010126820.tif 000004
【図３】
2010126820.tif 000005
【図４】
2010126820.tif 000006
【図５】
2010126820.tif 000007